(57)【特許請求の範囲】
【請求項１】
血小板を含まない血漿試料中のセロトニン濃度を測定し、
健常人における血小板を含まない血漿試料中のセロトニン濃度と比較することからなる、
血漿試料中のセロトニン濃度を、血管内皮障害を把握するための検査マーカーとする方法。
【請求項２】
血小板を含まない血漿試料中のセロトニン濃度と、全血試料、血清試料又は血小板試料中のセロトニン濃度の比率を測定し、
健常人における血小板を含まない血漿試料中のセロトニン濃度と、全血試料、血清試料又は血小板試料中のセロトニン濃度の比率と比較することからなる、
血漿試料中のセロトニン濃度を、血管内皮障害を把握するための検査マーカーとする方法。
【請求項３】
血小板を含まない血漿試料中のセロトニン濃度を測定し、
健常人における血小板を含まない血漿試料中のセロトニン濃度と比較することからなる、
血漿試料中のセロトニン濃度を、動脈硬化病態を把握するための検査マーカーとする方法。
【請求項４】
血小板を含まない血漿試料中のセロトニン濃度と、全血試料、血清試料又は血小板試料中のセロトニン濃度の比率を測定し、
健常人における血小板を含まない血漿試料中のセロトニン濃度と、全血試料、血清試料又は血小板試料中のセロトニン濃度の比率と比較することからなる、
血漿試料中のセロトニン濃度を、動脈硬化病態を把握するための検査マーカーとする方法。
【請求項５】
前記請求項１から４のいずれかの方法であって、０．００７４〜０．０１４８ｍｏｌ／Ｌ濃度のエチレンジアミン四酢酸共存下で実施することを特徴とする方法。
【発明の詳細な説明】
【０００１】
【発明の属する分野】
本願発明は、血管内皮障害の診断方法又は動脈硬化病態の診断方法に関するものであり、言い換えれば、血管内皮障害や動脈硬化の状況を正しく反映するセロトニン値の測定方法に関するものである。
【０００２】
【従来の技術】
冠動脈疾患での死亡者は多く、この疾患を早期発見して治療することは重要である。冠動脈疾患は、そのほとんどが動脈硬化性血管病変を伴っており、動脈硬化病態を診断したり、その病態の変化を診断するための診断マーカーが探索されてきた。動脈硬化病態を診断し得る診断マーカーは、動脈硬化疾患の診断にとっても重要である。
【０００３】
高コレステロール血漿は動脈硬化の危険因子であり、コレステロールは動脈硬化病変の原因物質の１つと考えられている。１９８３年に発足した厚生省特定疾患原発性高脂血症調査研究班の報告では、血清コレステロール１９９ｍｇ／ｄＬ以下では冠動脈疾患の発生率は２．３％であるが、４００ｍｇ／ｄＬ以上であると１２．９％と約５倍とされている。近年では、動脈硬化の原因物質と考えられるＬＤＬコレステロールや酸化ＬＤＬ等が、動脈硬化病態を診断するための診断マーカーとして検討されている。
【０００４】
動脈硬化疾患のリスクファクターとして、炎症マーカーであるＣＲＰ（Ｃ−ｒｅａｃｔｉｖｅ  ｐｒｏｔｅｉｎ）も検討されている（Ｐａｕｌ  Ｍ．Ｒｉｄｋｅｒ  ｅｔ  ａｌ．，  Ｔｈｅ  ｎｅｗ  ｅｎｇｌａｎｄ  Ｊ．  Ｍｅｄｉｃｉｎｅ，  ２３，  ｐ８３６（２０００））。動脈硬化では血管内皮障害が起こり、強いては血管内皮に炎症が生じて炎症マーカーであるＣＲＰが上昇するためである。しかし、ＣＲＰは血管内皮に障害が起きた場合以外にも、臓器等の組織破壊や細菌感染の場合にも値（濃度）が上昇するなど特異性に課題があり、動脈硬化病態や血管内皮障害を的確に診断するためには不適当である。
【０００５】
【発明が解決しようとする課題】
以上のように、血管内皮障害の診断マーカーは、血管内皮の障害を診断するうえで、更には動脈硬化病態を診断するうえで非常に重要である。そこで本願発明は、新たな血管内皮障害、強いては動脈硬化病態の診断マーカーとなり得る物質を提供することを目的とする。
【０００６】
【課題を解決するための手段】
前記目的を達成するため、新たなマーカー物質の探索を行った結果、消化管系の腫瘍（Ｍｉｎｇ−ｓｈｉｈ  Ｌｅｅ、  ｅｔ  ａｌ．，Ｃｌｉｎｉｃａｌ  Ｃｈｅｍｉｓｔｒｙ，４６，ｐ４２２  （２０００））、そして胃腸管内分泌細胞から発生する腫瘍であるカルチノイド（西條清史、日本臨床、５３、ｐ５２７（１９９５増刊号））が生じると血漿中の濃度が上昇する、セロトニンが見い出された。血漿中のセロトニン濃度は、冠動脈に狭窄が認められ、冠血管形成術を行った際に、その冠状動脈局部において一過的に上昇することが知られている（Ｐａｏｌｏ  Ｇｏｌｉｎｏら、Ｔｈｅ  Ｎｅｗ  Ｅｎｇｌａｎｄ  Ｊ．Ｍｅｄｉｃｉｎｅ，３３０，ｐ５２３，１９９４、又は、Ｄａｒｉｏ  Ｌｅｏｓｃｏら、Ｔｈｅ  Ａｍｅｒｉｃａｎ  Ｊ．Ｃａｒｄｉｏｌｏｇｙ，８４，ｐ１３１７，１９９９年）が、冠血管形成術を行っても、腹部大動脈血液の血漿中セロトニン濃度には変化がないとも報告されている（Ｐａｏｌｏ  Ｇｏｌｉｎｏら、Ｔｈｅ  Ｎｅｗ  Ｅｎｇｌａｎｄ  Ｊ．Ｍｅｄｉｃｉｎｅ，３３０，ｐ５２３，１９９４）。
【０００７】
また、冠動脈疾患を煩った患者の血液を４５０×ｇで５分間遠心分離して得られた、血小板を多く含む血漿中のセロトニン濃度測定の結果から、６０歳未満の患者からの試料においては、冠動脈疾患を煩っていない健常人からの試料と比較して、有意に高い値を示すことも報告されている（Ｋｊｅｌｌ  Ｖｉｋｅｎｅｓら、Ｃｉｒｃｕｌａｔｉｏｎ，１００，ｐ４８３，１９９９）。しかしながら、血液中の血小板等の血球外に存在する遊離のセロトニン、即ち血小板を含まない血漿試料中のセロトニンが血管内皮障害や動脈硬化病態を診断するためのマーカーとなり得ることについては、従来報告されていない。
【０００８】
また、血漿中セロトニン濃度が健常人と比べて高値となるカルチノイド疾患の患者において、冠動脈疾患を併発している患者群と冠動脈疾患を発病していない患者群とを比較した場合、冠動脈疾患を併発している患者群の血漿中セロトニン濃度が有為に高いことも報告されている（Ｐａｕｌ  Ａ．ら、Ｃｉｒｃｕｌａｔｉｏｎ，９２，ｐ７９０−７９５、１９９５）。しかしながらこの結果は、血漿中セロトニン濃度が高値となるカルチノイド疾患を発病している患者群内での結果であり、カルチノイド疾患を発病していない場合の血管内皮障害や動脈硬化疾患と血漿中セロトニン濃度の関係を示すものではない。
【０００９】
従って、前記目的を達成するためになされた本願請求項１の発明は、血漿試料中のセロトニン濃度を測定することからなる、血管内皮障害の診断方法である。また前記目的を達成するためになされた本願請求項２の発明は、血漿試料中のセロトニン濃度値と、全血試料、血清試料又は血小板試料中のセロトニン濃度値の比率を測定することからなる、血管内皮障害の診断方法である。また前記目的を達成するためになされた本願請求項３の発明は、血漿試料中のセロトニン濃度を測定することからなる、動脈硬化病態の診断方法である。そして前記目的を達成するためになされた本願請求項４の発明は、血漿試料中のセロトニン濃度値と、全血試料、血清試料又は血小板試料中のセロトニン濃度値の比率を測定することからなる、動脈硬化病態の診断方法である。以下、本願発明を詳細に説明する。
【００１０】
冠動脈疾患が４０〜５０歳以上の高齢者において多く発生する。このことは、健常人と呼ばれる集団の中の４０〜５０歳以上においては、血管内皮障害を起こし、動脈硬化病変が存在し、冠動脈疾患が起こる確立が高くなっている人が多く存在することを示している。そこで、健常人２０〜７０歳における、血漿試料中のセロトニン濃度や、血漿試料中のセロトニン濃度と全血試料又は血小板試料中のセロトニン濃度の比率を測定し、年代別に測定値を比較した。更に、冠動脈造影検査（ＣＡＧ）により器質的病変を認め冠血管形成術（ＰＴＣＡ）が施行された患者のＣＡＧ検査前の血液において、血漿試料中のセロトニン濃度や、血漿試料中のセロトニン濃度と全血試料又は血小板試料中のセロトニン濃度の比率を測定した。
【００１１】
その結果、健常人の血漿試料中のセロトニン濃度と全血試料又は血小板試料中のセロトニン濃度の比率の値は、４０歳代以上で有意に高い値を示した。また、ＣＡＧにより器質的病変を認め、ＰＴＣＡが施行された患者群と４０歳以上の健常人との比較では、血漿試料中のセロトニン濃度や、血漿試料中のセロトニン濃度と全血試料又は血小板試料中のセロトニン濃度の比率の値は、ＰＴＣＡを試行された群で有意に高い値を示した。
【００１２】
以上の結果は、血漿試料中のセロトニン濃度や、血漿試料中のセロトニン濃度値の、全血試料中のセロトニン濃度値又は血小板試料中のセロトニン濃度値との比率を測定することにより、血管内皮障害を知見又は推定し、動脈硬化を知見又は推定可能であることを示している。即ち上記のようにして測定したセロトニン値は、動脈硬化病態をモニターする等の診断のためのマーカーとなることを示すものである。また、これらの測定値は、冠動脈疾患が起こりうる確立の高さの指標にもなりうることを示している。なお、血小板中のセロトニンは血液凝固の際に血清中に放出されるため、全血試料中のセロトニン濃度の代わりに、血清試料中のセロトニン濃度値を用いることも出来る（西條清史、日本臨床、５３、ｐ５２７（１９９５増刊号））。また、全血試料中のセロトニンのそのほとんどは血小板中に含まれるので、４５０×ｇで５分程度遠心して得られた、血小板を多く含んだ血漿試料中のセロトニン濃度値は、全血試料中のセロトニン濃度値の代わりに用いることが出来る。
【００１３】
ところで、セロトニンは、主に消化消化管粘膜にある腸クロム親和性細胞で産生され血液中に放出される。血小板自体はセロトニンを産生せず、血液中のセロトニンを取り込み貯蔵する。腸クロム親和性細胞のセロトニン産生量には個人差があると考えられることから、血漿試料中のセロトニン濃度によって診断を行うよりも、血漿試料中のセロトニン濃度値と、血液試料全体のセロトニン濃度値（全血試料中のセロトニン濃度値又は血清試料中セロトニン濃度値）か、或いは血小板試料中のセロトニン濃度値との比率を用いた方が、診断用マーカーとしての信頼性が高く、好ましい。
【００１４】
さらに、動脈硬化病変の存在は、血小板を活性化してセロトニンなどの放出を促し、血漿試料中のセロトニン濃度が上昇し、そのセロトニンがさらに血小板の持つセロトニンリセプター（５ＨＴ２受容体）を刺激し、さらに血小板を活性化するため、血小板中のセロトニン濃度が低下すると考えられる。このことは、血漿試料中のセロトニン濃度値そのものよりも、血漿試料中のセロトニン濃度値と、血液試料全体のセロトニン濃度値（全血試料中のセロトニン濃度値又は血清試料中セロトニン濃度値）か、或いは血小板試料中のセロトニン濃度値の比率の方が、より病態の変化を大きく数値として捉えることが出来ることを示すものである。
【００１５】
血漿中のセロトニン濃度を測定するに当たっては、血小板中のセロトニンが血液中に放出されるのを抑制することが重要である。血小板中セロトニンの放出は、血小板の活性化（凝固）により引き起こされるから、血小板活性化の中心物質であるカルシウムイオンを捕捉した状態でセロトニン測定を実施したり、又は、そのような状態で血液から血漿試料を調製することが好ましい。例えば、カルシウムイオンを捕捉し、血液の凝固を防止する抗凝固剤を共存させた状態で測定等を実施することが例示できる。抗凝固剤としては、抗凝固効果が高く、取扱いや入手が容易であること以外に、採血した血液をセロトニン以外の血中成分の測定にも供することが可能であることが好ましい。かかる抗凝固剤としては、例えばエチレンジアミン四酢酸（以下ＥＤＴＡと記載する）又はクエン酸を具体的に例示できるが、クエン酸を用いると血液が弱酸性になり、血小板がダメージを受けて微量ながらセロトニンが放出される可能性があるため、特にＥＤＴＡが好ましい。
【００１６】
ＥＤＴＡの中でも、血液と混合した際に血液のｐＨを変化させないものが特に好ましい。ｐＨの変化により血小板がダメージを受け、セロトニンが放出されてしまう可能性があるからである。かかる特に好ましいＥＤＴＡとしては、ＥＤＴＡ２カリウム２水和物又はＥＤＴＡ２ナトリウムが好ましく、特にＥＤＴＡ２カリウム２水和物は溶解速度が速いという効果もあり、特に好ましい。溶解速度が遅いと、その溶解時、部分的にＥＤＴＡ濃度が高くなるため、血小板にダメージを与える可能性が高まるからである。
【００１７】
抗凝固剤としてＥＤＴＡを血液に加える場合は、血液と混合後の濃度を０．００２５〜０．００４９ｍｏｌ／Ｌとするのが普通であるが、後の実施例で具体的に示したように、前記濃度となるようにＥＤＴＡを混合すると試料によっては血漿中セロトニン濃度が高くなる場合が確認された。これは、前記ＥＤＴＡ濃度では血小板の活性化が完全には抑制されず、血小板から徐々にセロトニンが放出されたことを示すものである。一方、ＥＤＴＡ濃度が高い場合には、浸透圧差により血小板がダメージを受け、血小板中のセロトニンが放出されることがある。従ってセロトニンの測定又は血液からの血漿試料の調製に際しては、０．００７４〜０．０１４８ｍｏｌ／Ｌ、好ましくは０．００８〜０．０１４ｍｏｌ／Ｌ程度となるようにＥＤＴＡを血液に混合することを例示できる。特に血液からの血漿試料の調製からセロトニンの測定までの全工程を、前記濃度のＥＤＴＡ共存下で実施することが特に好ましい。
【００１８】
本発明において、セロトニンの測定は、具体的には例えば液体クロマトグラフを用いた方法（特開２００１−５６３２６号参照）により、またセロトニンに対して特異的な抗体を用いる、通常の免疫測定法により、実施することができる。
【００１９】
【発明の実施の形態】
実施例１
健常人（血中の総コレステロール値が２２０ｍｇ／ｄＬ以下である人）である２０歳代男性３人女性３人、３０歳代男性１５人女性４人、４０歳代男性５人女性３人、５０歳代男性７人女性５人、７０歳代男性１人女性２人から、同意を得たうえで、抗凝固剤ＥＤＴＡ−２Ｋ入り採血管（ベクトン  デイッキンソン製；エチレンジアミン四酢酸２カリウム２水和物濃度が２ｍｇ／ｍＬとなる採血管）を用いて血液試料（全血試料）を肘正中静脈から採血した。全血試料の一部を、１０００×ｇ、４℃、２５分の遠心分離に供して血漿試料を得た。血小板試料中のセロトニンは全血試料中のセロトニン濃度から血漿試料中のセロトニン濃度を引くことにより算出した。
【００２０】
表１から５に、各試料中のセロトニン濃度（平均値）及び標準偏差を示す。また、表６には、３０歳代の男性１５人女性４人から採取した試料と、４０歳代男性５人女性３人から採取した試料、５０歳代男性７人女性５人から採取した試料、７０歳代男性１人女性２人から採取した試料についての有意差検定ｐ値の結果を示す。
【００２１】
【表１】
0004686933.tif 000002
【表２】
0004686933.tif 000003
【表３】
0004686933.tif 000004
【表４】
0004686933.tif 000005
【表５】
0004686933.tif 000006
【表６】
0004686933.tif 000007
血漿試料中のセロトニン濃度／全血試料中のセロトニン濃度の比、血漿試料中のセロトニン濃度／血小板試料中のセロトニン濃度の比の両者において、４０歳代以上において有意に値が高いことがわかる。動脈硬化を原因とする冠動脈疾患は、４０〜５０歳以上において多く発生することから、この結果は、血漿試料中のセロトニン濃度／全血試料中のセロトニン濃度、血漿試料中のセロトニン濃度／血小板試料中のセロトニン濃度の比が、動脈硬化病態を把握する診断マーカー、および、血管内皮障害の診断マーカーとなることを示している。
【００２２】
本実施例において、測定は特開２００１−５６３２６号の実施例１に記載した、市販のカラム（ＴＳＫｇｅｌＯＤＳ−８０Ｔｓ、商品名、東ソー（株）製）を用いる方法に従った。全血試料、血漿試料共に、純水１Ｌに０．１９ｇアスコルビン酸、０．３８ｇＥＤＴＡ２Ｎａ、３４ｍＬ ６０％過塩素酸溶液を加えて均一にした希釈液により、２０倍希釈し、１００００ｘｇ５分遠心分離し上清を測定試料として用いた。
【００２３】
全血試料中のセロトニン濃度と血小板試料中のセロトニン濃度が３０歳代に比べ、４０歳代、５０歳代、７０歳代で低いのは、腸クロム親和性細胞からの産生量が低下しているためと考えられる。図１から５にそれぞれの棒グラフを示す。グラフ中のエラーバーは９５％信頼区間を示す。
【００２４】
実施例２
冠動脈造影検査（ＣＡＧ）により器質的病変を認め冠血管形成術（ＰＴＣＡ）を施行した患者男性１８人女性４人のＣＡＧ前に抗凝固剤ＥＤＴＡ−２Ｋ入り採血管（ベクトン  デイッキンソン製）を用いて肘正中静脈から採血した血液試料において、実施例１と同様に測定を行った。試料を採取した患者はすべて４０歳以上であったため、実施例１における４０歳以上の群のデータと比較した。
【００２５】
表７にそれぞれ平均値および標準偏差を、表８に有意差検定ｐ値の結果を示す。また、図６から１０にそれぞれの棒グラフを示す。グラフ中のエラーバーは９５％信頼区間を示す。
【００２６】
【表７】
0004686933.tif 000008
【表８】
0004686933.tif 000009
冠動脈造影検査（ＣＡＧ）を受けていない実施例１における４０歳以上の群の試料に関する測定結果との比較において、ＣＡＧを受けた群からの試料に関する、血漿試料中のセロトニン濃度は有意差（ｐ値＝０．０７９６）が認められた。また、血漿試料中のセロトニン濃度／全血試料中のセロトニン濃度の比について両者を比較すると、さらに高い有意差（ｐ値＝０．０５１７）が認められた。この結果は、ＣＡＧにより器質的病変を認めＰＴＣＡが施行された患者では、動脈硬化疾患および血管内皮障害を有していることから、血漿試料中のセロトニン濃度、血漿試料中のセロトニン濃度／全血試料中のセロトニン濃度の比が、動脈硬化病態を診断し、又は、血管内皮障害を診断するための診断マーカーとして有効であることを示している。
【００２７】
血漿試料中のセロトニン濃度／血小板試料中のセロトニン濃度の比についても、ＣＡＧを受けていない群に比べ、ＣＡＧにより器質的病変を認めＰＴＣＡが施行された患者群の値は明らかに高く、動脈硬化病態を診断し、又は、血管内皮障害を診断するための診断マーカーとして使用し得ることが分かる。もっとも、患者群の値を個々に検討すると低い患者も存在し、標準偏差が大きく、血漿試料中のセロトニン濃度や血漿試料中のセロトニン濃度／全血試料中のセロトニン濃度の比と比較すると低い有意差となった。
【００２８】
実施例３
８本の試験管にエチレンジアミン四酢酸２カリウム２水和物を各々２、４、６、８、１０、１２、１４又は１６ｍｇ入れ、同意を得た３名の患者から採血した血液を２ｍＬずつ分注し、緩やかに混合した。混合液中のＥＤＴＡ２カリウムの濃度は、それぞれ０．００２５、０．００４９、０．００７４、０．００９９、０．０１２４、０．０１４８、０．０１７３又は０．０１９８ｍｏｌ／Ｌである。
【００２９】
上記混合液からそれぞれ５０μＬを取り、１９２ｍＬの純水に６０％過塩素酸溶液８ｍＬ及びアスコルビン酸７．０４ｇを溶解した液を１ｍＬ加えて混合し、４℃、１００００×ｇ、５分間遠心分離した後、得られた上清を、１９８ｍＬの純水に過塩素酸ナトリウム４．９ｇとＥＤＴＡ２ナトリウム０．０７ｇを溶解した、等量の液と混合し、全血試料として実施例１と同様の測定に供した。
【００３０】
一方、残りの混合液からは、４℃、１０００×ｇ、２５分間の遠心分離により血小板を含まない血漿を得た。この血漿から２５０μＬを取り、１８７ｍＬの純水に６０％過塩素酸溶液１３．４ｍＬ及びアスコルビン酸０．４４ｇを溶解した液を１ｍＬ加えて混合し、４℃、１００００×ｇ、５分間遠心分離した後、得られた上清を、１９８ｍＬの純水に過塩素酸ナトリウム４．９ｇとＥＤＴＡ２ナトリウム０．０７ｇを溶解した、等量の液と混合し、血漿試料として実施例１と同様の測定に供した。
【００３１】
表９は、全血試料中のセロトニン濃度の測定結果の一部を示すものであり、混合したＥＤＴＡ２カリウムの濃度が異なるにもかかわらず、測定結果はほとんど変化しないことが分かる。表１０は、血漿試料中のセロトニン濃度の測定結果を示すものである。患者１からの血漿試料では、ＥＤＴＡ２カリウム濃度が０．００７４〜０．０１４８ｍｏｌ／Ｌの範囲で１０ｎｍｏｌ／Ｌ以下の値を示したが、０．００４９ｍｏｌ／Ｌ以下又は０．０１７３ｍｏｌ／Ｌ以上の場合は１０ｎｍｏｌ／Ｌ以上の高値を示した。患者２からの血漿試料では、全てのＥＤＴＡ２カリウム濃度で同様の値を示した。そして患者３からの血漿試料では、ＥＤＴＡ２カリウム濃度が０．０１９８ｍｏｌ／Ｌ以上の場合は他の場合に比較して高い値を示した。患者１からの血漿試料においてＥＤＴＡ濃度０．０１７３ｍｏｌ／Ｌ以上で、患者３からの血漿試料においてＥＤＴＡ濃度０．０１９８ｍｏｌ／Ｌで血漿中セロトニン濃度が高い値となったのは、ＥＤＴＡ濃度が高いため浸透圧差が生じて血小板がダメージを受け、血小板中のセロトニンが放出されたことを示すものである。
【００３２】
【表９】
0004686933.tif 000010
【表１０】
0004686933.tif 000011
実施例４
健常人（血中の総コレステロール値が１９０ｍｇ／ｄＬ以下である人）２１名（２０才代９名、４０才代１２名）及び冠動脈疾患患者６５名（３０〜７０才代）から同意を得て血液を採血し、全血中セロトニン濃度及び血漿中セロトニン濃度を測定した。採血に際しては、予め６ｍｇのＥＤＴＡ２カリウム２水和物が入れられた、容量２ｍＬの真空採血管を用い、該採血管に２ｍＬの血液を採血した。
【００３３】
上記混合液からそれぞれ５０μＬを取り、１９２ｍＬの純水に６０％過塩素酸溶液８ｍＬ及びアスコルビン酸７．０４ｇを溶解した液を１ｍＬ加えて混合し、４℃、１００００×ｇ、５分間遠心分離した後、得られた上清を、１９８ｍＬの純水に過塩素酸ナトリウム４．９ｇとＥＤＴＡ２ナトリウム０．０７ｇを溶解した、等量の液と混合し、全血試料として実施例１と同様の測定に供した。
【００３４】
一方、残りの混合液からは、４℃、１０００×ｇ、２５分間の遠心分離により血小板を含まない血漿を得た。この血漿から２５０μＬを取り、１８７ｍＬの純水に６０％過塩素酸溶液１３．４ｍＬ及びアスコルビン酸０．４４ｇを溶解した液を１ｍＬ加えて混合し、４℃、１００００×ｇ、５分間遠心分離した後、得られた上清を、１９８ｍＬの純水に過塩素酸ナトリウム４．９ｇとＥＤＴＡ２ナトリウム０．０７ｇを溶解した、等量の液と混合し、血漿試料として実施例１と同様の測定に供した。
【００３５】
２０才代と４０才代の健常人の全血中セロトニン濃度、血漿中セロトニン濃度、及び、血漿中セロトニン濃度／全血中セロトニン濃度の比について、結果を表１１に示す。実施例１では年代別に測定結果に有為差が見られたが、本実施例では年代別の有為差は確認されなかった。本実施例では総コレステロールを１９０ｍｇ／ｄＬ以下の場合を健常人定義したため、２０才代と４０才代での血漿中セロトニン濃度、及び、血漿中セロトニン／全血中セロトニンの比について年齢差が見られなかった。実施例１では総コレステロールが２２０ｍｇ／ｄＬ以下の場合を健常人と定義したため、年齢が高い患者からの試料では血漿中セロトニン濃度、及び、血漿中セロトニン／全血中セロトニンの比が有為に高かったが、このことからは、実施例１の健常人群には軽度な動脈硬化疾患を持つ患者が含まれることを示唆するものである。以上のように本実施例では、試料を採取した健常人の年齢による差が見られなかったため、以下の患者群との比較においては年齢を考慮していない。
【００３６】
実施例１と本実施例では、採血した血液と混合したＥＤＴＡの濃度等、採血した血液の処理方法が異なるが、本実施例では、血漿中セロトニン濃度や全血中セロトニン濃度をより安定的かつ正確に測定可能である。なお、実施例１及び２における結果と比較した場合、血漿中セロトニン濃度はより低い、全血中セロトニン濃度はより高い、血漿中セロトニン／全血中セロトニンの比はより低い測定値が出ることになる。
【００３７】
表１２〜１４及び図１１〜１３は、血液を採血した冠動脈疾患患者６５名を、病態により、陳旧性心筋梗塞の心筋梗塞発生後１年以上経過した患者群（３０才代から７０才代の１８人、以下ＯＭＩと記載する）、労作性狭心症の患者群（５０才代から７０才代の２４人、以下ｅ−ＡＰと記載する）、不安定狭心症の患者群（４０才代から７０才代の５人、以下ｕ−ＡＰと記載する）、陳旧性心筋梗塞の心筋梗塞発生後１年を経過していない患者群（５０才代から７０才代の１８人、以下ＯＭＩ−１と記載する）に分けた場合の測定値と健常人（以下Ｎと記載する）の測定値をそれぞれ示すものである。
【００３８】
血漿中セロトニン濃度及び血漿中セロトニン／全血中セロトニンの比については、Ｎ、ＯＭＩ、ｅ−ＡＰ、ｕ−ＡＰ、ＯＭＩ−１の順に高くなっていることが分かる。血管内皮の障害という点で、少なくとも病態としてはｅ−ＡＰに比べｕ−ＡＰが悪く、治療が良好に行われていればＯＭＩはＯＭＩ−１より良好な状態にあると考えられる。実際、血漿中セロトニン濃度及び血漿中セロトニン濃度／全血中セロトニン濃度の比について、ｅ−ＡＰに比べｕ−ＡＰが、ＯＭＩに比べＯＭＩ−１が高い結果が得られた。
【００３９】
各結果についてのｐ検定（検定の値が０．０５以下で有為差がある）行ったところ、血漿中セロトニン濃度では、Ｎに対するｅ−ＡＰ、ｕ−ＡＰ及びＯＭＩ−１の値で有為差が確認され、また、ＯＭＩに対するＯＭＩ−１、そして、ｅ−ＡＰに対するＯＭＩ−１の値で有為差が確認された。血漿中セロトニン／全血中セロトニンの比では、Ｎに対するＯＭＩ、ｅ−ＡＰ、ｕ−ＡＰ及びＯＭＩ−１の値、そして、ｅ−ＡＰに対するＯＭＩ−１の値で有為差が確認された。Ｎに対して値の近いｅ−ＡＰ、ｕ−ＡＰについては、血漿中セロトニン濃度に比べ、血漿中セロトニン／全血中セロトニンの比の方が有為差について良好な測定結果が得られた。
【００４０】
また、ＮとＮに平均値の近いＯＭＩについて、これら２群のｐ検定（検定の値が０．０５以下で有為差がある）の結果を見ると、血漿中セロトニン濃度の測定結果では有為差がないが、血漿中セロトニン／全血中セロトニンの比では有為差があることが確認された。このことから、正確に血管内皮障害の病態を把握するためには、血漿中セロトニン濃度を単独で用いて本発明の診断を行うよりも、血漿中セロトニン／全血中セロトニンの比を用いる方が好ましいことが分かる（表１３、１４）。ｐ検定の結果からは同様に、Ｎに対するｅ−ＡＰ又はｕ−ＡＰについても、血漿中セロトニン濃度を単独で用いるよりも、血漿中セロトニン／全血中セロトニンの比を用いる方が好適であることも分かる（表１３、１４）。
【００４１】
表１５〜１７及び図１４〜１６は、血液を採血した冠動脈疾患患者６５名のうち冠動脈造影検査（ＣＡＧ）による狭窄の所見が明らかな６２名についての解析結果である（残り３名は、ＣＡＧによる狭窄の所見が明らかではなかったため、本解析からは除外した）。この６２名の患者のうち、５０％の狭窄ありとされた４６名を選び、更に７０％以上の再狭窄がある患者群（５０才代から６０才代の１３名、以下Ｃと記載する）、７０％以上の再々狭窄がある患者群（５０才代から７０才代の５名、以下Ｄと記載する）、そして始めて５０％以上の狭窄が確認された患者群（４０才代から７０才代の２８名、以下Ｂと記載する）に分けた場合の測定値、最終的に５０％以上の狭窄なしとされた１６名（３０才代から７０才代、以下Ａと記載する）、そして健常人２１名（以下Ｎと記載する）の測定値を比較した。
【００４２】
全血中セロトニン濃度については、Ｎ、Ａ、Ｂ、Ｃ、Ｄの順に測定値が低下していることが分かる。狭窄が多ければ、それだけ血管に障害が生じていることになり、この血管内皮障害部位で血液凝固溶解反応が生じることにより血液中全体のセロトニンを消耗する。N、A、B、C、Dの順に狭窄が多いと考えられるが、この結果は全血中のセロトニン濃度の低下順と一致する。また、血漿中セロトニン濃度は、全血中セロトニン濃度とは逆に、N、A、B、C、Dの順に上昇すると考えられるが、実際には、N、A、C、B、Dの順となっている。このことは、血漿中セロトニン濃度の変動は、特に細い動脈系の血管内皮障害の影響を受けると考えられ、大きな動脈である冠動脈の狭窄の所見とは、必ずしも一致しないことを示している。しかしながら、少なくともA（狭窄なし）の患者群よりB（狭窄あり）の患者群は障害が多いはずである。現に血漿中セロトニン濃度および血漿中セロトニン／全血中セロトニンでは、有為差はないもののAに比べてBが高い値を示した。
【００４３】
更に血漿中セロトニン濃度についてｐ検定（検定の値が０．０５以下で有為差がある）を行ったところ、Ｎに比べＡ、Ｂ及びＤで、またＡに比べＤで、そしてＣに比べＤで、有為に高い測定値（有為差）が確認された。また血漿中セロトニン／全血中セロトニンの比については、Ｎに比べＡ、Ｂ、Ｃ及びＤで、またＡに比べＤで、そしてＣに比べＤで、有為に高い測定値（有為差）が確認された。特にＮとＣとの比較については、血漿中セロトニン濃度では有為差はないが、血漿中セロトニン／全血中セロトニンの比では有為差が確認された。
【００４４】
【表１１】
0004686933.tif 000012
【表１２】
0004686933.tif 000013
【表１３】
0004686933.tif 000014
【表１４】
0004686933.tif 000015
【表１５】
0004686933.tif 000016
【表１６】
0004686933.tif 000017
【表１７】
0004686933.tif 000018
実施例５
実施例４で述べた冠動脈疾患患者６５名から採血した血液について、フィブリノーゲン、白血球数、高感度ＣＲＰ、総コレステロール、中性脂肪、Ｌｐ（ａ）、クレアチニンキナーゼを測定し、全血中セロトニン、血漿中セロトニン、血漿中セロトニン／全血中セロトニンの比に対する関連性を調べた。結果（相関係数の２乗の結果）を表１８に示す。なお、フィブリノーゲンはトロンビン凝固時間法により、白血球数は電気抵抗検出法によるフローサイトメトリーにより、高感度ＣＲＰとＬｐ（ａ）はラテックス凝集比濁法により、総コレストロールと中性脂肪とクレアチニンキナーゼは酵素法により測定した。
【００４５】
表１８から明らかなように、全血中セロトニン濃度、血漿中セロトニン濃度、血漿中セロトニン／全血中セロトニンの比は他の測定値と関連せず、血漿中セロトニン濃度により診断し得る病態は、これまで知られている検査マーカにより診断し得る病態とは異なるものであることを示している。また血漿中セロトニン濃度の測定値は、他の検査マーカの値で代用できるものではなく、冠動脈疾患等の血管内皮障害や動脈硬化病態を把握することにおいて重要な１つの検査マーカであることが分かる。
【００４６】
【表１８】
0004686933.tif 000019
【発明の効果】
本発明は、従来知られていない、新たな血管内皮障害の診断方法又は動脈硬化病態の診断方法を提供するものである。本発明では、動脈硬化病態を診断し、又は、血管内皮障害の診断するために、血漿試料中のセロトニン濃度、血漿試料中のセロトニン濃度値／全血試料中のセロトニン濃度値の比を使用することを特徴とする。
【００４７】
本発明では、セロトニンの測定自体は従来知られた液体クロマトグラフィーによる方法や免疫測定法を適用することができ、また血漿試料等の調製も、従来の方法を適用することが可能であるなど、容易に実施が可能である。
【図面の簡単な説明】
【図１】実施例１における血漿中セロトニンのヒストグラムであり、グラフ中のエラーバーは９５％信頼区間を示す。
【図２】実施例１における全血中セロトニンのヒストグラムであり、グラフ中のエラーバーは９５％信頼区間を示す。
【図３】実施例１における血小板中セロトニンのヒストグラムであり、グラフ中のエラーバーは９５％信頼区間を示す。
【図４】実施例１における血漿中セロトニン／全血中セロトニンのヒストグラムであり、グラフ中のエラーバーは９５％信頼区間を示す。
【図５】実施例１における血漿中セロトニン／血小板中セロトニンのヒストグラムであり、グラフ中のエラーバーは９５％信頼区間を示す。
【図６】実施例２における血漿中セロトニンのヒストグラムであり、グラフ中のエラーバーは９５％信頼区間を示す。Ｎは非検査群であり、ＲＴＣＡは心臓カテーテル検査により異常が確認され経皮的血管形成術（ＰＴＣＡ）を試行された患者群である。
【図７】実施例２における全血中セロトニンのヒストグラムであり、グラフ中のエラーバーは９５％信頼区間を示す。Ｎは非検査群であり、ＰＴＣＡは冠動脈造影検査（ＣＡＧ）により器質的病変を認め冠血管形成術（ＰＴＣＡ）が施行された患者群である。
【図８】実施例２における血小板中セロトニンのヒストグラムであり、グラフ中のエラーバーは９５％信頼区間を示す。Ｎは非検査群であり、ＰＴＣＡは冠動脈造影検査（ＣＡＧ）により器質的病変を認め冠血管形成術（ＰＴＣＡ）が施行された患者群である。
【図９】実施例２における血漿中セロトニン／全血中セロトニンのヒストグラムであり、グラフ中のエラーバーは９５％信頼区間を示す。Ｎは非検査群であり、ＰＴＣＡは冠動脈造影検査（ＣＡＧ）により器質的病変を認め冠血管形成術（ＰＴＣＡ）が施行された患者群である。
【図１０】実施例２における血漿中セロトニン／血小板中セロトニンのヒストグラムであり、グラフ中のエラーバーは９５％信頼区間を示す。Ｎは非検査群であり、ＰＴＣＡは冠動脈造影検査（ＣＡＧ）により器質的病変を認め冠血管形成術（ＰＴＣＡ）が施行された患者群である。
【図１１】実施例４における全血中セロトニン濃度のヒストグラムであり、グラフ中のエラーバーは９５％信頼区間を示す。
【図１２】実施例４における血漿中セロトニン濃度のヒストグラムであり、グラフ中のエラーバーは９５％信頼区間を示す。
【図１３】実施例４における血漿中セロトニン／全血中セロトニンのヒストグラムであり、グラフ中のエラーバーは９５％信頼区間を示す。
【図１４】実施例４における全血中セロトニンのヒストグラムであり、グラフ中のエラーバーは９５％信頼区間を示す。「なし」、「狭窄」、「再狭窄」、「再々狭窄」、「正常」は、それぞれ、冠動脈造影検査（ＣＡＧ）により５０％以上の狭窄が認められなかった患者群（Ａ）、５０％以上の狭窄が認められた患者群（Ｂ）、７０％以上の再狭窄が認められた患者群（Ｃ）、７０％以上の再々狭窄が認められた患者群（Ｄ）、そして健常人（Ｎ）の結果をそれぞれ示す。
【図１５】実施例４における血漿中セロトニンのヒストグラムであり、グラフ中のエラーバーは９５％信頼区間を示す。「なし」、「狭窄」、「再狭窄」、「再々狭窄」、「正常」は図１４と同一である。
【図１６】実施例４における血漿中セロトニン／全血中セロトニンのヒストグラムであり、グラフ中のエラーバーは９５％信頼区間を示す。「なし」、「狭窄」、「再狭窄」、「再々狭窄」、「正常」は図１４と同一である。
【図１】
0004686933.tif 000020
【図２】
0004686933.tif 000021
【図３】
0004686933.tif 000022
【図４】
0004686933.tif 000023
【図５】
0004686933.tif 000024
【図６】
0004686933.tif 000025
【図７】
0004686933.tif 000026
【図８】
0004686933.tif 000027
【図９】
0004686933.tif 000028
【図１０】
0004686933.tif 000029
【図１１】
0004686933.tif 000030
【図１２】
0004686933.tif 000031
【図１３】
0004686933.tif 000032
【図１４】
0004686933.tif 000033
【図１５】
0004686933.tif 000034
【図１６】
0004686933.tif 000035